(57)【特許請求の範囲】
【請求項１】
ドア又は出入口枠に固定ネジにより固定されるブラケットと、このブラケットに回動可能に取り付けられ、略Ｕ字形溝部材に形成された回動アームと、前記回動アームと係合し、上記出入口枠又はドアに取り付けられるストライカとを備えたドアガード装置において、
前記回動アームには、基端側に掛け渡されて配置された防護ピンを具備し、
前記防護ピンは、前記回動アームの回動状態によって、前記固定ネジの上部を横断する位置と、前記固定ネジの上部から回避する位置と、に切り替え可能であって、
前記回動アームが前記ストライカと係合している状態において、前記防護ピンは、前記固定ネジの上部を横断する位置に配置されることを特徴とするドアガード装置。
【発明の詳細な説明】
【０００１】
【発明の属する技術分野】
本発明は、ドアガード装置に関する。
【０００２】
【従来の技術】
ドアガード装置は、ドア又は出入口枠に固定ネジにより固定されるブラケットと、このブラケットに回動可能に取り付けられる回動アームと、出入口枠又はドアに固定ネジにより固定されるブラケットと、このブラケットに取り付けられるストライカとを備える。回動アームをストライカに係止したうえでドアを開けると、回動アームとストライカとが相対的にスライドし、ドアは少しばかり開いたところで停止する。従って、外部からの侵入が防止され、防犯上の効果が期待される。ところが、このドアガード装置をセット状態にしておいても、ドアの隙間から手を差し込みドライバ等の工具でブラケットの固定ネジを緩め、ドアガード装置をドアや出入口枠から取り外せば、ドア内の者が気付かないようにドア内に侵入することが可能である。
【０００３】
実用新案登録第２５８７１０６号が開示するドアガード装置は、このようなドア外からのドアガード装置の取り外しを防止するため、回動アームをドア等に連結するためのブラケット及び固定ネジを覆うカバーを備える。固定ネジがカバーで覆われるので、回動アームをドア等から外すことができず、従って外部からの侵入が防止される。
【０００４】
【発明が解決しようとする課題】
ところが、実用新案登録第２５８７１０６号のドアガード装置は、回動アームについて取外防止用のカバーを備えるが、ストライカについては防犯上の措置が何等講じられていない。また、回動アームのブラケットにカバーを取り付けるスペースを確保しなければならないので、ブラケット回りが大型化し、また回動アームとブラケットを分解しなければカバーの取り付け、取り外しができないという問題がある。
【０００５】
本発明は、上記諸問題点を解決することができるドアガード装置を提供することを目的とする。
【０００６】
【課題を解決するための手段】
上述した課題を解決するために、請求項１に係る発明は、ドア（１）又は出入口枠（２）に固定ネジ（５ａ，５ｂ，５ｃ）により固定されるブラケット（６）と、このブラケット（６）に回動可能に取り付けられ、略Ｕ字形溝部材に形成された回動アーム（３）と、前記回動アームと係合し、上記出入口枠（２）又はドア（１）に取り付けられるストライカ（４）とを備えたドアガード装置において、前記回動アームには、基端側に掛け渡されて配置された防護ピン（２１）を具備し、前記防護ピンは、前記回動アームの回動状態によって、前記固定ネジの上部を横断する位置と、前記固定ネジの上部から回避する位置と、に切り替え可能であって、前記回動アームが前記ストライカと係合している状態において、前記防護ピンは、前記固定ネジの上部を横断する位置に配置されるドアガード装置を採用する。
【００１１】
【発明の実施の形態】
以下、本発明に係るドアガード装置の実施の形態について添付図面を参照して説明する。
【００１２】
＜実施の形態１＞
図１及び図２において、ドア１が出入口枠２に図示しないピボットヒンジを介して回動自在に取り付けられ、反ピボットヒンジ側におけるドア１と出入口枠２との境界部にドアガード装置が設けられる。出入口枠２は部屋の壁の出入口に枠材として固着されるか又は壁と一体的に形成される。
【００１３】
このドア１は室外側に開く外開き式ドアであり、ドアガード装置の回動アーム３がドア１側に取り付けられ、ストライカ４が出入口枠２に取り付けられる。もちろん、回動アーム３を出入口枠２に取り付け、ストライカ４をドア１側に取り付けてもよい。また、このドアガード装置は室内側に開く内開き式ドアにも装着可能であり、回動アーム３をドア１又は出入口枠２に取り付け、ストライカ４を出入口枠２又はドア１に取り付けることができる。
【００１４】
このドアガード装置は、ドア１に固定ネジ５ａ，５ｂ，５ｃにより固定される第一のブラケット６と、この第一のブラケット６に回動可能に取り付けられる回動アーム３と、出入口枠２に固定ネジ７ａ，７ｂにより固定される第二のブラケット８と、この第二のブラケット８に取り付けられるストライカ４とを備える。
【００１５】
第一のブラケット６は、ドア１の上下方向に伸びる座板９と、座板９の正面から垂直に起立する二つのブラケット片１０ａ，１０ｂとを具備する。座板９には上下部とブラケット片１０ａ，１０ｂ間とに夫々固定ネジ５ａ，５ｂ，５ｃの挿入穴が穿設される。座板９をドア１の内パネル１ａ上に当てたうえで、挿入穴から内パネル１ａに向かって固定ネジ５ａ，５ｂ，５ｃを螺入することにより第一のブラケット６がドア１の室内側に固定される。
【００１６】
回動アーム３は細長い略Ｕ字形の溝部材として形成され、その開放された基端３ａ，３ｂが各ブラケット片１０ａ，１０ｂに枢軸である頭付きピン１１を介し回動可能に軸支される。図２及び図３に示すように、回動アーム３は頭付きピン１１を支点にして水平面上で回動可能である。回動アーム３の開放された基端３ａ，３ｂは図１に示すように拡開しており、この拡開した箇所を通してストライカ４が回動アーム３の溝に対し出入り可能となる。図２及び図３に示すように、回動アーム３の溝内には開放端から閉止端に向かって傾斜面１２が形成され、閉止端の内側に傾斜面１２から落ち込む窪み部１３が形成される。ストライカ４が傾斜面１２上をスライドし、窪み部１３内に嵌まり込むことによりドア１は僅少開状態を保持する。
【００１７】
図１及び図２に示すように、第二のブラケット８は、出入口枠２の上下方向に伸びる台座１４を備える。台座１４には、図１及び図４に示すように、上下部に夫々固定ネジ７ａ，７ｂの挿入穴１５ａ，１５ｂが望ましくは上下方向に伸びる長穴として穿設される。台座１４を図２に示す出入口枠２の内パネル２ａ上に当てたうえで、挿入穴１５ａ，１５ｂから内パネル２ａに向かって固定ネジ７ａ，７ｂを螺入することにより第二のブラケット８が出入口枠２の室内側に固定される。固定ネジ７ａ，７ｂに対し挿入穴１５ａ，１５ｂに沿って台座１４をスライドさせることができ、これによりストライカ４と回動アーム３との位置決めが可能である。この第二のブラケット８は出入口枠２の図２に示すドア側の側パネル２ｂ上に取り付けることも可能である。
【００１８】
ストライカ４は、図１及び図２に示すように、出入口枠２側からドア１側に向かって突出する金属製の棒材であり、その先端に膨らんだ頭部４ａを有する。この頭部４ａが上記回動アーム３の溝内に嵌まり込んで相対的にスライドすることにより、この溝の長さに対応した量だけドア１が開きうる。
【００１９】
ストライカ４は、第二のブラケット８上に一体的に固着することも可能であるが、望ましくは図５に示すように、受座アーム４ｂを介して第二のブラケット８上に回動可能に支持される。すなわち、第二のブラケット８上からは出入口枠２に対し垂直方向に枢軸１５が起立し、この枢軸１５に受座アーム４ｂが連結される。また、第二のブラケット８と受座アーム４ｂとの間に枢軸１５を軸心とする円筒形の凹凸部１６ａ，１６ｂが嵌合可能に形成される。枢軸１５と凹凸部１６ａ，１６ｂとを支点にして受座アーム４ｂとストライカ４は第二のブラケット８上で旋回可能である。凹凸部１６ａ，１６ｂは第二のブラケット８と受座アーム４ｂとの間で入れ替えることも可能である。
【００２０】
ストライカ４を図１に示すような回動アーム３に対向するセット位置又は回動アーム３に対してずれたリセット位置に停止させることができるように、第二のブラケット８と受座アーム４ｂとの間にはクリックストップ機構が設けられる。このクリックストップ機構は、上記凸部１６ｂに枢軸１５を中心にした円上で一定ピッチで形成された凹穴１７と、凹穴１７内に挿入されたボール１８と、ボール１８を凹部１６ａの底に向かって付勢する凹穴１７内に挿入されたスプリング１９と、凹部１６ａの底に凹穴１７に対応するように形成された係止穴２０とを具備する。ボール１８と係止穴２０は凹凸部１６ａ，１６ｂ間で入れ替えることも可能である。係止穴２０は図６に示すように、例えば９０度間隔で形成される。
【００２１】
このドアガード装置は、ストライカ４に回動アーム３を係合させることで図３に示すようにドア１を僅少開状態に保持することができるが、このドア１の隙間Ａからドライバ等の工具を差し込んでも第一のブラケット６の固定ネジ５ｂを抜き取ることができないようにするため、図１乃至図３に示すごとく、僅少開状態のドア１の隙間Ａから上記固定ネジ５ｂに至る空隙を横断するように防護ピン２１が回動アーム３に固定される。
【００２２】
より具体的には、防護ピン２１は回動アーム３の第一のブラケット６に連結される基端３ａ，３ｂ間に掛け渡される。この防護ピン２１が、第一のブラケット６のブラケット片１０ａ，１０ｂ間において座板９をドア１に固定する固定ネジ５ｂの頭部の上方を横切る。このため、ドライバ等の工具は固定ネジ５ｂの頭部との係合を阻止され、第一のブラケット６及び回動アーム３のドア１からの取り外しが阻止される。防護ピン２１としては、横断面が円形、楕円形、矩形等の各種棒材を用いることができる。また、真直棒のほか屈曲した棒材を用いることも可能である。
【００２３】
また、このドアガード装置は、図３に示すドア１の隙間Ａからドライバ等の工具を差し込んでも第二のブラケット８の固定ネジ７ａ，７ｂを抜き取ることができないようにするため、図１に示すごとく、僅少開状態のドア１の隙間Ａから上記固定ネジ７ａ，７ｂに至る空隙を横断するように防護部材である防護壁２２がストライカ４に設けられる。
【００２４】
より具体的には、防護壁２２はストライカ４と一体の受座アーム４ｂの反ストライカ側に形成される。受座アーム４ｂは枢軸１５を支点に旋回可能であり、防護壁２２は枢軸１５を中心にした扇形片として形成される。防護壁２２は図１に示すようにストライカ４がセット位置にあるときに固定ネジ７ａ，７ｂの頭部を覆うようになっている。このため、ドライバ等の工具は固定ネジ７ａ，７ｂの頭部との係合を阻止され、第二のブラケット８及びストライカ４の出入口枠２からの取り外しが阻止される。
【００２５】
第二のブラケット８における台座１４の反回動アーム側には、防護壁２２の端縁を包むように突出する押さえ片２３が設けられる。図３のごとくドア１が開くことにより回動アーム３を介しストライカ４に枢軸１５を支点にしたモーメントが作用しても、この押さえ片２３が防護壁２２を介して反対向きのモーメントを生じさせるので、ドアガード装置の強度が高められる。
【００２６】
次に、上記構成のドアガード装置の作用を説明する。
【００２７】
回動アーム３とストライカ４は予め第一と第二のブラケット６，８にそれぞれ取り付けられた状態にある。第一と第二のブラケット６，８を固定ネジ５ａ，５ｂ，５ｃ，７ａ，７ｂでドア１と出入口枠２にそれぞれ固定することにより、ドアガード装置が組み立てられる。第二のブラケット８を固定するには、図４に示すように、ストライカ４をリセット方向に回して挿入穴１５ａ，１５ｂから防護壁２２を外すことにより行う。
【００２８】
回動アーム３が図１及び図２のリセット位置にあり、ストライカ４が図４に示す位置から更に上方向に回動したリセット位置にあるときは、ドア１は開閉自在であり、最大開度まで開放可能である。
【００２９】
回動アーム３とストライカ４をセット状態にするには、まず、ストライカ４を上記リセット位置から図１及び図２に示すセット位置へと回動させる。次に、回動アーム３をドア１に対し起立するごとく回動させ、その拡開した基端３ａ，３ｂ間にストライカ４の頭部４ａを挿入する。この状態でドア１を開くと、ストライカ４の頭部４ａが回動アーム３の溝内を相対的にスライドし、図３のごとくストライカ４の頭部４ａが溝端まで到達したところでドア１が停止する。ストライカ４の頭部４ａが溝端の窪み部１３内に嵌まり込むことで、ドア１はこの僅少開状態を維持する。
【００３０】
このドア１の僅少開状態でドライバ等の工具をドア１の隙間Ａから挿入し、第一のブラケット６の固定ネジ５ｂを回そうとする場合、工具は防護ピン２１により阻まれ固定ネジ５ｂの頭部に係止しえない。従って、回動アーム３のドア１からの脱落が阻止される。
【００３１】
また、第二のブラケット８の固定ネジ７ａ，７ｂを回そうとする場合、工具は防護壁２２により阻まれ固定ネジ７ａ，７ｂの頭部に係止しえない。ストライカ４は回動アーム３と係合する結果、ストライカ４は枢軸１５の回りを回動することができず、防護壁２２は固定ネジ７ａ，７ｂを覆う位置を保持する。従って、ストライカ４の出入口枠２からの脱落が阻止される。
【００３２】
＜実施の形態２＞
図７乃至図９に示すように、この実施の形態２において、回動アーム３は実施の形態１と略同様な取付構造によりドア１に取り付けられるが、ストライカ４は実施の形態１とは異なる取付構造で出入口枠２に取り付けられる。従って、ここでは回動アーム３の取付構造についての説明は省略し、ストライカ４の取付構造についてのみ説明する。
【００３３】
ストライカ４を支持する第二のブラケット２４は、出入口枠２のドア１側に向いた側パネル２ｂ上に固定ネジ７ａ，７ｂで固定される。
【００３４】
図７に示すように、第二のブラケット２４は、出入口枠２の上下方向に伸びる台座２５を備える。台座２５には、図７及び図１０に示すように、上下両端に夫々固定ネジ７ａ，７ｂの挿入穴１５ａ，１５ｂが望ましくは上下方向に伸びる長穴として穿設される。台座２５を出入口枠２の側パネル２ｂ上に当てたうえで、挿入穴１５ａ，１５ｂから側パネル２ｂに向かって固定ネジ７ａ，７ｂを螺入することにより第二のブラケット２４が出入口枠２の側パネル２ｂに固定される。固定ネジ７ａ，７ｂに対し挿入穴１５ａ，１５ｂをスライドさせるごとく台座２５を上下方向に位置調整することにより、ストライカ４と回動アーム３との位置決めが可能である。
【００３５】
ストライカ４は、図７乃至図９に示すように、出入口枠２側からドア１側に向かって突出する金属製の棒材であり、その先端に膨らんだ頭部４ａを有する。この頭部４ａが上記回動アーム３の溝内に嵌まり込んで相対的にスライドすることにより、溝の長さに対応した量だけドア１が開きうる。
【００３６】
ストライカ４は、第二のブラケット２４上に一体的に固着することも可能であるが、望ましくは図７及び図１１に示すように、第二のブラケット２４に上下に回動可能に支持される。すなわち、第二のブラケット２４の台座２５からドア１の方に向かって一対のブラケット片２６ａ，２６ｂが突出し、このブラケット片２６ａ，２６ｂ間に水平ピン２７を介してストライカ４が連結される。
【００３７】
ストライカ４を図７中実線で示すセット位置に停止させることができるように、第二のブラケット２４とストライカ４との間にはクリックストップ機構が設けられる。このクリックストップ機構は、図７及び図１１に示すように、ストライカ４側に形成された凹穴１７と、凹穴１７内に挿入されたボール１８と、ボール１８を台座２５に向かって付勢する凹穴１７内に挿入されたスプリング１９と、台座２５に凹穴１７に対応するように形成された係止穴２０とを具備する。ボール１８と係止穴２０はストライカ４と台座２５との間で入れ替えることも可能である。ボール１８が係止穴２０に嵌まり込むことによりストライカ４は図７中実線で示すセット位置に保持され、ボール１８が係止穴２０から離脱することによりストライカ４は図７中二点鎖線で示すリセット位置で停止する。
【００３８】
このドアガード装置は、ストライカ４に回動アーム３を係合させることで図９に示すようにドア１を僅少開状態に保持することができるが、このドア１の隙間Ａからドライバ等の工具を差し込んでも第二のブラケット２４の固定ネジ７ｂを抜き取ることができないようにするため、図７乃至図９に示すごとく、僅少開状態のドア１の隙間Ａから上記固定ネジ７ｂに至る空隙を横断するように防護部材である防護壁２８ａがブラケット２４に設けられる。
【００３９】
より具体的には、防護部材である防護壁２８ａがブラケットの壁部２５ｂとブラケット２４を覆うカバー２８で形成される。カバー２８は、図１２及び図１３に示すように、底壁と背壁とが除かれた箱体として金属、樹脂等の比較的硬質な材料により形成される。この箱体は、前壁２８ａから両側壁２８ｂ，２８ｃ及び天壁２８ｄにかけた上部分が切除され、前壁２８ａの上部には略Ｕ字形の切欠２９が形成され、天壁２８ｄと両側壁２８ｂ，２８ｃとの背側の角部にはリブ状の係止片３０が形成され、両側壁２８ｂ，２８ｃの背側の下端には上記係止片３０と同じ向きに突出する他の係止片３１が形成される。
【００４０】
このカバー２８は、図１０及び図１１に示すように、第二のブラケット２４にその上側から被せられる。カバー２８の背後の係止片３０，３１が第二のブラケット２４における台座２５の両側に形成された縦溝３２内を台座２５の下端へとスライドすることにより、カバー２８が第二のブラケット２４上に被せられる。図７及び図１０に示すように、第二のブラケット２４に取り付けられたカバー２８はその前壁２８ａで下側の固定ネジ７ｂの頭部を覆う。これにより、前壁２８ａが防護壁として機能し、ドライバ等の工具と固定ネジ７ｂの頭部との係合を阻止する。従って、第二のブラケット２４及びストライカ４の出入口枠２からの取り外しが阻止される。また、ストライカ４は、図７乃至図１０に示すように、セット状態にあるときは前壁２８ａの切欠２９内に入り込み、リセット状態にあるときは図７中二点鎖線で示すように切欠２９から離脱して台座２５と平行になる位置へと起立する。
【００４１】
次に、上記構成のドアガード装置の作用を説明する。
【００４２】
回動アーム３とストライカ４は予め第一と第二のブラケット６，２４にそれぞれ取り付けられた状態にある。第一と第二のブラケット６，２４を固定ネジ５ａ，５ｂ，５ｃ，７ａ，７ｂでドア１と出入口枠２にそれぞれ固定することにより、ドアガード装置が組み立てられる。
【００４３】
第二のブラケット２４には、その上側からカバー２８が被せられ固定される。
【００４４】
回動アーム３が図７及び図８のリセット状態にあり、ストライカ４が図７に二点鎖線で示すリセット状態にあるときは、ドア１は開閉自在であり、最大開度まで開放可能である。
【００４５】
回動アームと３ストライカ４をセット状態にするには、まず、ストライカ４を上記リセット位置からセット位置へと回動させる。次に、回動アーム３をドア１に対し起立するごとく回動させ、その拡開した基端３ａ，３ｂ間にストライカ４の頭部４ａを挿入する。この状態でドア１を開くと、ストライカ４の頭部４ａが回動アーム３の溝内を相対的にスライドし、図９のごとくストライカ４の頭部４ａが溝端まで到達したところでドア１が停止する。ストライカ４の頭部４ａが溝端の窪み部１３内に嵌まり込むことで、ドア１はこの僅少開状態を維持する。
【００４６】
このドア１の僅少開状態でドライバ等の工具をドア１の隙間Ａから挿入し、第二のブラケット２４の固定ネジ７ｂを回そうとする場合、工具は防護壁であるカバー２８の前壁２８ａやブラケットの壁部２５ｂにより阻まれ固定ネジ７ｂの頭部に係止しえない。ストライカ４は回動アーム３と係合する結果、ストライカ４は枢軸２７の回りを回動することができず、カバー２８を第二のブラケット２４上から抜き取ることもできない。従って、ストライカ４の出入口枠２からの脱落が阻止される。
【００４７】
なお、第一のブラケット６の固定ネジ５ｂを回そうとしても、工具は防護ピン２１により阻まれ固定ネジ５ｂの頭部に係止しえない。従って、回動アーム３のドア１からの脱落も阻止される。
【００４８】
【発明の効果】
請求項１に係る発明によれば、僅少開状態のドアの隙間からドライバ等の工具を差し込んで固定ネジを緩めようとしても、防護ピンが工具の侵入を阻止し、工具と固定ネジとの係合を阻止し、回動アーム及びブラケットの取り外し操作を妨害する。従って、回動アーム及びブラケットを外すことによるドアからの侵入が確実に防止される。また、防護ピンを取り付ける簡素な構造で足りるので、ブラケット等を小型化することができる。
【図面の簡単な説明】
【図１】本発明の実施の形態１に係るドアガード装置を非作動状態で示す正面図である。
【図２】図１に示すドアガード装置の水平断面図である。
【図３】ドアガード装置を作動状態で示す水平断面図である。
【図４】ストライカをブラケットに対して回動させた状態で示す正面図である。
【図５】図４中、Ｖ−Ｖ線矢視断面図である。
【図６】ストライカの底面図である。
【図７】本発明の実施の形態２に係るドアガード装置を非作動状態で示す正面図である。
【図８】図７に示すドアガード装置の水平断面図である。
【図９】ドアガード装置を作動状態で示す水平断面図である。
【図１０】図７中、Ｘ−Ｘ線矢視図である。
【図１１】図７中、ＸＩ−ＸＩ線矢視図である。
【図１２】図１０中、カバーのみを取り出して示す立面図である。
【図１３】図１２中、ＸＩＩＩ−ＸＩＩＩ線矢視断面図である。
【符号の説明】
１…ドア
２…出入口枠
３…回動アーム
３ａ，３ｂ…回動アームの基端
４…ストライカ
５ｂ，７ａ，７ｂ…固定ネジ
６，８，２４…ブラケット
２１…防護ピン
２２，２８ａ…防護壁
２８…カバー
Ａ…隙間
【図１】
0003999014.tif 000002
【図２】
0003999014.tif 000003
【図３】
0003999014.tif 000004
【図４】
0003999014.tif 000005
【図５】
0003999014.tif 000006
【図６】
0003999014.tif 000007
【図７】
0003999014.tif 000008
【図８】
0003999014.tif 000009
【図９】
0003999014.tif 000010
【図１０】
0003999014.tif 000011
【図１１】
0003999014.tif 000012
【図１２】
0003999014.tif 000013
【図１３】
0003999014.tif 000014